(57)【要約】      （修正有）【課題】パケット・トラフィックを伝送する無線システム及びネットワーク部と無線システム中の端末との間においてサービス情報を柔軟に伝送する。【解決手段】接続セットアップ・プロセスは、端末とネットワーク部間に接続が確立するとセッション・マネジメント・アレンジメントによって起動する。サービス情報がネットワーク部と端末との間で伝送されると、サービスを必要とする側が接続セットアップ・プロセスを起動させ、起動の間、サービスを必要とする側はサービス情報の必要性とサービスの品質をメッセージで指示する。サービスを提供する側はサービス情報を含む一つ以上のメッセージを応答し、接続セットアップ・プロセスは接続を確立せずに終了する。【選択図】図６
2011234371.tif 000002
【特許請求の範囲】
【請求項１】
ネットワーク部と、パケット・トラフィックを伝送する無線システム中の端末との間におけるサービス情報伝送方法であって、接続セットアップ・プロセスを、当該端末と当該ネットワーク部間の接続を確立するときに起動するサービス情報伝送方法において、
サービス情報の伝送が必要になると、サービスを必要とする側が接続セットアップ・プロセスを起動し、
起動の間、前記サービスを必要とする側はサービス情報の必要性とサービスの品質をメッセージで指示し、
サービスを提供する側はサービス情報を含む一つ以上のメッセージで応答し、
前記接続セットアップ・プロセスは、接続を確立せずに終了する
ことを特徴とするサービス情報伝送方法。
【請求項２】
前記サービスを必要とする側によって送信される前記メッセージが、全てのサービスに共通のパラメータ・ブロックを有する、請求項１に記載の方法。
【請求項３】
前記サービスを必要とする側によって送信される前記メッセージが、サービス固有のパラメータ・ブロックを有する、請求項１に記載の方法。
【請求項４】
前記サービスを提供する側によって送信される前記メッセージが、全てのサービスに共通のパラメータ・ブロックを一つ以上有する、請求項１に記載の方法。
【請求項５】
前記サービスを提供する側によって送信される前記メッセージが、サービス固有のパラメータ・ブロックを一つ以上有する、請求項１に記載の方法。
【請求項６】
パケット・トラフィックを伝送する無線システムであって、端末及びネットワーク部が、当該端末及び当該ネットワーク部間の接続を確立するときに接続セットアップ・プロセスを起動する無線システムにおいて、
サービス情報の伝送が必要とされた時にサービスを必要とする側が接続セットアップ・プロセスを起動し、かつ、サービス情報の必要性及びサービス品質をメッセージで送信し、
サービスを提供する側はサービス情報を含む一つ以上のメッセージで応答し、
前記端末及びネットワーク部は接続を確立せずに前記接続セットアップ・プロセスを終了すること
を特徴とする無線システム。
【請求項７】
前記サービスを提供する側がネットワーク部であり、前記サービスを必要とする側が端末である、請求項６に記載の無線システム。
【発明の詳細な説明】
【技術分野】
【０００１】
本発明はパケット・トラフィックを伝送する無線システム及びパケット・トラフィックを伝送する無線システムにおけるサービス情報の伝送方法に関する。
【背景技術】
【０００２】
本無線システム及び開発されつつある無線システムにおける一つの欠点は、利用可能な無線リソースの量が限られていることである。無線周波数の数は限定され、いくつかのシステムやオペレータの間で分割されている。この問題を解決する様々な解決法が考え出されてきた。
【０００３】
一般用途向けの従来の無線システムは、回線交換技術に基づいている。この技術によって実現されるシステムでは、デバイス間の接続用にあるチャネルが予約される。このチャネルは接続時間中、チャネル上に連続したトラフィックがあるか否かによらず、デバイスにとって利用可能である。この解決法は、主に音声を伝送するシステムにおいては充分である。電気通信技術成長の必要性として、伝送接続はデータ転送にますます利用されるだろう。データ接続上で伝送されるトラフィックはしばしば非常にバースト的である。つまり、時には高速な転送処理能力が必要となる大量のデータが転送され、また時には、チャネル上にはトラフィックがほとんどない。このような接続にとって、パケット交換接続は容量の利用に関して非常に実用的な解決法である。パケット交換接続において、チャネルは接続時間中ずっと端末用に予約されているわけではなく、データの転送が必要な時だけ予約される。端末間接続の少なくともいくつかをパケットプロトコルを使って行うようにしたパケット交換トラフィックを利用する様々な無線システムが開発されてきた。このようなシステムの例がＧＰＲＳ（General Packet Radio System：汎用パケット無線システム）及び、これの改良されたバージョンであるＥＧＰＲＳ（Enhanced General Packet Radio System：拡張汎用パケット無線システム）である。
【０００４】
データサービスとデータ転送容量の必要性とは互いに異なるため、それぞれのシステムは異なった容量で接続を確立する能力を有して提供される。標準的なデータ接続の場合、例えば、端末はインターネットを介してデータ・ネットワークに接続される。システムは、接続セットアップ・プロセスを定義するセッション・マネジメント・アレンジメントを有する。端末とシステム中のネットワークとの間において必要とされるデータ接続は、接続セットアップ・プロセスにおいて確立される。
【０００５】
無線システムは様々な目的に利用されるが、その利用は過去数年間で顕著に増大し、そのために数々のサービスが開発されており、この傾向は続くことが予想される。新しいサービスのほとんどは端末とシステムとの接続を必要以上に要求しない。この理由の一つは、転送されるべき情報量は少量で、サービスに必要なネットワーク部と端末との接続には連続的なデータ転送でなく、短期間のデータ転送が要求されるからである。
【０００６】
パケット・トラフィックを利用する既存のシステムでは、常にシステムのネットワーク部と端末との間でセッション・マネジメント・アレンジメントを介して接続が確立され、接続の品質と容量だけがその要求に応じて変化する。よってこの方法は柔軟でなく、転送容量を浪費する。
【発明の概要】
【発明が解決しようとする課題】
【０００７】
本発明の目的は、容量を無駄にすることなくシステムにおけるサービス情報の転送を柔軟に行うことを可能とする無線システムと方法を提供することにある。
【課題を解決するための手段】
【０００８】
この目的は本発明の方法によって達成され、すなわち無線システムのネットワーク部と端末との間でサービス情報を伝送する方法によって達成されパケット・トラフィックを転送する端末とネットワークとの接続が確立された時に、セッション・マネジメント・アレンジメントによって接続セットアップ・プロセスが実行される。本発明の方法によって、端末とネットワーク部間をサービス情報が伝送されると、サービスを必要とする側が接続セットアップ・プロセスを起動する。起動する間、サービスを必要とする側は、サービス情報とサービス品質の必要性をメッセージで指示する。サービス提供側は、サービス情報を含む一つまたはそれ以上のメッセージで応答する。接続セットアップ・プロセスは接続を確立する前に終了する。
【０００９】
本発明はまた、パケット・トラフィックを伝送する無線システムにも関し、端末とネットワーク部とが接続されると、それらがセッション・マネジメント・アレンジメントによって接続セットアップ・プロセスを起動する。本発明のシステムでは、サービスを必要とする側は、サービス情報の伝送が必要になると接続セットアップ・プロセスを始動するように構成され、サービス情報とサービス品質の要求とをメッセージで転送する。サービス提供側はサービス情報を含む一つまたはそれ以上のメッセージで応答するように構成され、接続セットアップ・プロセスは接続を確立する前に終了する。
【発明の効果】
【００１０】
本発明の方法及びシステムにはいくつかの利点がある。１回の接続セットアップ・プロセスが、実際のデータ接続の確立と、実際のデータ接続を要求しないサービス伝送との両方に利用できる。サービスごとに接続が確立される必要がないため、リソースの管理がより柔軟になり、リソースが無駄になることもない。接続セットアップ・プロセスの柔軟性のおかげで、新しいサービスが容易にシステムに導入できる。
以下に本発明が添付図面に基づいて好ましい実施例を参照して詳細に述べられる。
【図面の簡単な説明】
【００１１】
【図１】図１は本発明が適用される電気通信システムを示している。
【図２】図２は一例として使用された別の移動通信システムの構成を示している。
【図３】図３は一例として使用された上記移動通信システムの構成をより詳細に示している。
【図４】図４は本発明によるシステムにおいて使用される送受信装置の構造を示している。
【図５】図５はセルラーの無線ネットワークのある一部のプロトコル・スタックを示している。
【図６】図６は本発明の好ましい実施例を示している。
【発明を実施するための形態】
【００１２】
本発明はパケット・トラフィックを転送する様々な無線システムに適用され、端末は異なる無線パス・プロパティを備える。これは、システムがどの多重接続方法を採用しているかとは無関係である。例えば、ＣＤＭＡ、ＷＣＤＭＡ、ＴＤＭＡが多重接続方式として利用できる。さらに、システムは回線交換及びパケット交換接続の両方をサポートする。図１は、本発明による解決法を用いたデジタルデータ転送システムを示す。これは加入端末２０８〜２１２との双方向接続２０２〜２０６を有する基地局２００からなるセルラー無線システムの一部である。基地局はさらに基地局制御装置２１４に接続され、端末接続をネットワークの別の部分に転送する。図２の略例において、その接続には回線交換及びパケット交換接続が含まれる。
【００１３】
以下に図２を参照して本発明の好ましい実施例を利用した移動通信システムの構成を述べる。移動通信システムの主要部分はコア・ネットワークＣＮと、地上無線接続ネットワークＢＳＳと、加入端末ＭＳである。この例では、ＣＮとＢＳＳ間のインターフェースはＧｂインターフェースと呼ばれ、ＢＳＳとＭＳ間のインターフェースはＵｍインターフェースと呼ばれる。
【００１４】
無線接続ネットワークは基地局サブシステムＢＳＳによって構成される。各々の基地局サブシステムＢＳＳは基地局制御器ＢＳＣと、送受信装置を有する一つ以上の基地送受信局ＢＴＳによって構成される。基地局制御器ＢＳＣと基地送受信局ＢＴＳ間のインターフェースは標準化されていない。基地局のカバー範囲、すなわちセルは、図２においてＣで表される。
【００１５】
図３においてセル方式無線システムはより詳細な例によって明らかにされるため、図２はむしろ抽象的に描かれている。図３は最も基本的なブロック図しか含まれていないが、当業者にとって従来のセルラー無線ネットワークがより詳細に述べる必要のない他の機能や構成を有することは明白である。図３は一つの実行可能な構成を示しているにすぎないことに注意すべきである。本発明によるシステムにおいては、その詳細は図２において示されたものと異なることがあるが、そのような違いは本発明と無関係である。
【００１６】
セルラー無線ネットワークは一般的に固定ネットワークのインフラストラクチャ、すなわちネットワーク部４００、及び固定か、乗り物に設置されているか、或いは携帯される加入者端末４０２からなる。ネットワーク部４００は基地局４０４を有する。基地局は、前図のノードＢに相当する。数個の基地局４０４は、基地局 ４０４と通信を行う基地局制御器４０６が集中的に制御する。基地局４０４は送受信装置４０８及び多重制御装置４１２を有する。
【００１７】
基地局４０４はさらに、送受信装置４０８及び多重制御装置４１２の機能を制御する制御装置４１０を有する。多重制御装置４１２は一つの転送接続４１４上でトラフィックと、数個の送受信装置４０８によって使用される制御チャネルとを構成するのに用いられる。転送接続４１４はlubと呼ばれるインターフェースを形成する。
【００１８】
基地局４０４の送受信装置４０８からアンテナ装置４１８に接続され、加入端末４０２との双方向無線接続４１６が確立される。双方向無線接続４１６上で転送されるフレームの構造は、システム仕様で無線インターフェースＵｍと呼ばれる。
【００１９】
基地局制御器４０６はグループ・スイッチング・フィールド４２０と制御装置４２２とを有する。グループ・スイッチング・フィールド４２０は音声やデータのスイッチング及び信号回線の接続に利用される。基地局４０４及び無線ネットワーク制御器４０６によって形成される無線ネットワークサブシステム４３２はトランスコーダ４２４をも含む。トランスコーダ４２４は通常、トランスコーダ４２４と無線ネットワーク制御器４０６間においてセルラー無線ネットワーク形式で音声が転送される際の転送容量を節約するために、移動サービス交換センタ４２８のできるだけ近くに位置する。
【００２０】
トランスコーダ４２４は、公衆電話回線網と無線電話ネットワーク間で使用される異なるデジタル音声符号化形式を、互換性のある形式に、例えば固定ネットワーク形式からセルラー無線ネットワーク形式に、あるいはその逆に変換する。制御装置４２２は呼制御や、移動管理、統計や信号の集計をつかさどる。
【００２１】
図３は、ここでは公衆電話回線網４３６との接続に、移動サービス交換センタ４２８と、移動通信システムの外部接続をつかさどるゲートウェイ移動サービス交換センタ４３０を示している。
【００２２】
図３に示すように、グループ・スイッチング・フィールド４２０は、移動サービス交換センタ４２８を経由する公衆電話回線網（ＰＳＴＮ）４３６及びパケット転送ネットワーク４４２の両方に接続を確立できる。
【００２３】
パケット転送ネットワーク４４２とグループ・スイッチング・フィールド４２０間の接続は、サポートノード４４０（ＳＧＳＮ＝Serving GPRS Support Node）によって確立される。サポートノード４４０の機能は基地局システムとゲートウェイノード（ＧＧＳＮ＝Gateway GPRS Support Node）４４４間でパケットを転送し、加入端末４０２のエリア内における位置を記録を保持することである。
【００２４】
ゲートウェイノード４４４は公衆パケット転送ネットワーク４４６とパケット転送ネットワーク４４２とに接続し、そのインターフェースにはインターネット・プロトコル又はＸ．２５プロトコルが利用できる。ゲートウェイノード４４４はパケット転送ネットワーク４４２の内部構成をカプセル化することによって公衆パケット転送ネットワーク４４６から隠ぺいする。そのため、公衆パケット転送ネットワーク４４６はパケット転送ネットワーク４４２を、公衆パケット転送がパケットを送受信する加入端末４０２を有するサブネットワークであるとみなす。
【００２５】
パケット転送ネットワーク４４２は一般にプライベート・ネットワークであり、インターネット・プロトコルを利用して、ユーザデータを信号化及びトンネリングしてパケットを運ぶ。パケット転送ネットワーク４４２の構成は、アーキテクチャに関するオペレータや、インターネット・プロトコルの下位層のプロトコルよって変化し得る。
【００２６】
公衆パケット転送ネットワーク４４６は、例えば世界的なインターネット・ネットワークでもよく、端末４４８、例えばサーバ・コンピュータが存在し、加入者端末４０２にパケットを転送したいインターネットに接続されている。
【００２７】
回線交換転送に係わらない時間帯は一般に無線インターフェース４１６のパケット転送に利用される。パケット転送用に容量が動的に予約、すなわちデータ転送要求を受信すると、あいているチャネルはいずれもパケット転送用に割り当てられる。この処理は柔軟に行なわれ、回線交換接続はパケット転送接続よりも優先されることを意味する。必要な場合は、回線交換転送はパケット交換転送に優先し、すなわち、パケット交換転送に使用される時間枠は回線交換転送に割り当てられる。これは、パケット交換転送がこのような通信中断にもよく耐え得るために実行できる。転送は別に割り当てられた時間枠を使って継続される。この処理は、回線交換転送に絶対的な優先権を与えるのではなく、回線交換とパケット交換の両方の転送要求の到着した順番に行われるよう実行される。このような処理はしかし、本発明とは無関係である。
【００２８】
図４は送受信装置４０８のより詳細な構造を示す。受信機５００は、望ましい周波数帯外の周波数を阻止するフィルタを有する。この後、信号は中間周波数に、或いは直接ベースバンドに変換され、信号はアナログ／デジタル変換器５０２で抽出され量子化される。イコライザ５０４は干渉を、例えば、マルチパス伝送によって発生する干渉を補償する。復調器５０６はイコライズされた信号からビットフローを拾って、多重分離装置５０８に転送する。多重分離装置５０８は別々のタイムスロットのビットフローを別個の論理チャネルに分離する。チャネル・コーデック５１６は各論理チャネルのビットフローを復号、すなわち、ビットフロー全体が制御装置５１４に転送される信号情報を含んでいるか、或いは基地局４０６のトランスコーダ４２４に送られる音声を含んでいるかを判断する。チャネル・コーデック５１６はまたエラーを修正する。制御装置５１４はそれぞれの装置を制御して内部制御タスクを実行する。バースト・ジェネレータ５２８は、チャネル・コーデック５１６から受信したデータに、トレーニング・シーケンスとテール・ビットを付加する。多重制御装置５２６は各バーストのタイムスロットを指示する。変調器５２４はデジタル信号を無線周波搬送波に変調する。この機能はアナログなので、それを実行するにはデジタル／アナログ変換器５２２が必要である。送信機５２０は帯域幅を限定するフィルタを有し、転送出力を制御する。合成装置５１２は必要な周波数を各装置に提供する。合成装置５１２のクロックはローカルに、あるいは集中的にあるところから、例えば基地局制御装置５０６から制御可能である。合成装置５１２は、例えば電圧制御発振器を使用して必要な周波数を生成する。
【００２９】
図４に示すとおり、送受信機の構成は、さらに無線周波部５３０と、ソフトウェアを有するデジタル信号処理装置５３２に分けられる。無線周波部５３０は受信機５００、送信機５２０，合成装置５１２を有し、デジタル信号処理装置とそのソフトウェア５３２はイコライザ５０４、復調器５０６、多重分離装置５０８、チャネル・コーデック５１６、制御装置５１４、バースト・ジェネレータ５２８、多重制御装置５２６、変調器５２４を有する。デジタル／アナログ変換器５０２は、アナログ無線信号をデジタル無線信号に変換し、デジタル／アナログ変換器５２２はデジタル信号をアナログ信号に変換する。
【００３０】
加入端末４０２の構成は図４に示された送受信機４０８の説明図を使って述べられる。加入端末４０２の構成部分は上記で述べられた送受信機４０８の構成部分と同じ機能を有する。それに加え、加入端末は、アンテナ４１８と発信機５００と送信機５０２の間に双方向フィルタを有し、ユーザ・インターフェース部と、音声コーデックを有してもよい。音声コーデックはパス５４０を経由してチャネル・コーデック５１６に接続する。本発明の好ましい実施例による機能は一般にソフトウェア、すなわち端末の制御装置における必要なコマンドを有するソフトウェアを含む、によって端末において実行される。
【００３１】
図５は、ＥＧＰＲＳのコントロール・プレーン・プロトコル・スタックを示すが、実施例はＥＧＰＲＳのみに限定されないことを注記すべきである。プロトコル・スタックは、ＩＳＯ（International Standardization Organization：国際標準化機構）のＯＳＩ参照モデル（Open systems Interconnection：開放型システム間相互接続）によって形成される。ＯＳＩモデルにおいてプロトコル・スタックは層に分割され、それは原則として７層である。図５は、各ネットワーク・エレメントにおいてどのプロトコル・セクションが処理されているかを示す。図中に示されたネットワーク・エレメントとは、加入端末ＭＳや基地局システムＢＳＳ、サポート・ノードＳＧＳＮ、ゲートウェイ・ノードＧＧＳＮである。基地局と基地局制御装置は、その間にインターフェースを定義していないため、別個に示されていない。原則として、基地局システムＢＳＳによって定義されるプロトコル処理は基地局４０４と基地局制御装置４０６間において自由に分離することができるが、実際は、トランスコーダ４２４が基地局システムＢＳＳに属しているにも関わらず、トランスコーダ４２４との間では分割されない。各々のネットワーク・エレメントは、基地局４０４と基地局制御装置４０６間のインターフェースＵｍ、Ｇｂ、Ｇｎによって分離される。
【００３２】
ＭＳ、ＢＳＳ、ＳＧＳＮ、ＧＧＳＮの各デバイスにおける層は他のデバイスの層と論理的に通信を行う。最下層の物理層だけが、互いと直接通信を行う。他の層は次に低い階層の層によって提供されるサービスを利用するので、メッセージは物理的に層の間を垂直方向に伝わり、最下層においてのみメッセージは層の間を水平方向に伝わる。
【００３３】
実際のビット・レベルのデータは常に、物理層である第一の層 ＲＦ、Ｌ１を利用して転送される。物理的転送パスへの接続に必要な機械的、電気的、機能的な属性は、この物理層に定義されている。第二層、すなわちデータリンク層は、物理層のサービスを利用して確実にデータ送信を行う。例えば送信エラーを修正する。無線インターフェース４１６では、データリンク層は副層ＲＬＣ／ＭＡＣと副層ＬＬＣに分けられる。第三層すなわちネットワーク層はデータ伝送及びスイッチング技術から独立した上位層を備え、デバイス間の接続を確立するために利用される。ネットワーク層は、例えば接続を確立、維持、解放する役割を果たす。ＧＳＭにおいてネットワーク層はシグナリング層とも呼ばれ、メッセージをルート指定し、２要素間において独立した複数の接続を同時に行うという２つの主機能を有する。
【００３４】
ネットワーク層はセッション管理副層ＳＭと、ＧＰＲＳ移動管理ＧＭＭ副層からなる。
【００３５】
ＧＰＲＳ移動管理ＧＭＭ副層は、加入端末のユーザが移動するという事実からもたらされる結果であって、無線リソース管理に直接関係しない結果を取り扱う。固定ネットワークにおいて、この副層はユーザの権限をチェックし、このユーザをネットワークに接続する。よって、セルラー無線ネットワークでは、ユーザの移動や登録、移動データの管理をサポートする。この副層はまた、加入端末の認識と許可されたサービスの認識とをチェックする。この副層において、メッセージ送信はは加入端末ＭＳとサポートノードＳＧＳＮ間で行われる。
【００３６】
セッション管理副層ＳＭはパケット交換呼び出しの管理に関する全ての機能を管理するが、ユーザの移動は検出しない。セッション管理副層ＳＭは接続を確立、維持、解放する。加入端末からの発信呼と、加入端末への着信呼に別手順を有する。この副層において、メッセージ送信は加入端末ＭＳとサポートノードＳＧＳＮ間で行われる。
【００３７】
基地局システムＢＳＳでは、セッション管理副層ＳＭ及び移動管理副層ＧＭＭのメッセージは透過的に処理される、つまり前後に転送されるのみである。
【００３８】
ネットワーク部では、本発明の好ましい実施例による機能はソフトウェアによって都合良く実行される。必要なコマンドを含むソフトウェアはサポート・ノード（ＳＧＳＮ）に挿入される。
【００３９】
本発明の好ましい実施例による解決法では、自身のパラメータを必要とする二種類の手順、全てのサービスに共通の一般的な手順及びサービス固有の手順がセッション・マネジメント・アレンジメントのために定義される。
【００４０】
一般手順の例はサービス要求と、サービス要求に対する応答である。二つのメッセージがこの手順のために定義される、すなわち「ＳＭ ＳＥＲＶＩＣＥ ＲＥＱＵＥＳＴ及びＳＭ ＳＥＲＶＩＣＥ ＲＥＳＰＯＮＳＥ」である。これらは好ましくは以下の形式を有する。
ＳＭ ＳＥＲＶＩＣＥ ＲＥＱＵＥＳＴ：｛ｐａｒａｍａｔｅｒｓ ｃｏｍｍｏｎ ｔｏ ｓｅｒｖｉｃｅｓ， ｓｅｒｖｉｃｅ−ｓｐｅｃｉｆｉｃ ｐａｒａｍｅｔｅｒｓ｝
ＳＭ ＳＥＲＶＩＣＥ ＲＥＳＰＯＮＳＥ：｛ｐａｒａｍａｔｅｒｓ ｃｏｍｍｏｎ ｔｏ ｓｅｒｖｉｃｅｓ， ｓｅｒｖｉｃｅ−ｓｐｅｃｉｆｉｃ ｐａｒａｍｅｔｅｒｓ｝
【００４１】
従って、メッセージは全サービス共通のパラメータ・ブロックと、サービス固有のパラメータ・ブロックを含んでいる。
【００４２】
サービス固有手順の例は通知方式で、例えば端末の位置情報サービスに必要とされる。通知方式は例えばＧＳＭシステムの位置決め処理に使用され、その対応手順は本解決法を使った接続にも当てはまる。通知方式は、例えばＧＳＭ ０３．７１：位置情報サービス（ＬＣＳ）；機能的説明−段落７．６．１中の第２ステージに記載されている。位置通知実行と位置通知戻り結果の二つのメッセージは個々に記載する。本発明の好ましい実施例による解決法では、論理状態はサービス情報の伝送を調整するためのセッション管理を定義する。その状態は、端末とネットワーク部とを別個に定義する。以下の状態は端末を定義する。
【００４３】
ＮＯＮ−ＰＤＰ−ＩＮＡＣＴＩＶＥ−ｎｏ ｓｅｒｖｉｃｅ ｔｒａｎｓｍｉｓｓｉｏｎ ｉｎ ｔｈｉｓ ｓｔａｔｅ
ＮＯＮ−ＰＤＰ−ＩＮＡＣＴＩＶＥ−ＰＥＮＤＩＮＧ−ｔｈｅ ｔｅｒｍｉｎａｌ ｈａｓ ａｃｔｉｖａｔｅｄ ｔｒａｎｓｍｉｓｓｉｏｎ ｏｆ ｓｅｒｖｉｃｅ ｉｎｆｏｒｍａｔｉｏｎ
ＮＯＮ−ＰＤＰ−ＩＮＡＣＴＩＶＥ−ＰＥＮＤＩＮＧ−ｔｈｅ ｔｅｒｍｉｎａｌ ｈａｓ ａｃｔｉｖａｔｅｄ ｔｅｒｍｉｎａｔｉｏｎ ｏｆ ｓｅｒｖｉｃｅ ｉｎｆｏｒｍａｔｉｏｎ ｔｒａｎｓｍｉｓｓｉｏｎ
ＮＯＮ−ＰＤＰ−ＡＣＴＩＶＥ−ｏｎｇｏｉｎｇ ｔｒａｎｓｍｉｓｓｉｏｎ ｏｆ ｓｅｒｖｉｃｅ ｉｎｆｏｒｍａｔｉｏｎ
【００４４】
ネットワーク部を定義する対応状態は以下の通りである。
ＮＯＮ−ＰＤＰ−ＩＮＡＣＴＩＶＥ−ｎｏ ｓｅｒｖｉｃｅ ｔｒａｎｓｍｉｓｓｉｏｎ ｉｎ ｔｈｉｓ ｓｔａｔｅ
ＮＯＮ−ＰＤＰ−ＩＮＡＣＴＩＶＥ−ＰＥＮＤＩＮＧ−ｔｈｅ ｎｅｔｗｏｒｋ ｐａｒｔ ｈａｓ ａｃｔｉｖａｔｅｄ ｔｒａｎｓｍｉｓｓｉｏｎ ｏｆ ｓｅｒｖｉｃｅ ｉｎｆｏｒｍａｔｉｏｎ
ＮＯＮ−ＰＤＰ−ＩＮＡＣＴＩＶＥ−ＰＥＮＤＩＮＧ−ｔｈｅ ｎｅｔｗｏｒｋ ｐａｒｔ ｈａｓ ａｃｔｉｖａｔｅｄ ｔｅｒｍｉｎａｔｉｏｎ ｏｆ ｓｅｒｖｉｃｅ ｉｎｆｏｒｍａｔｉｏｎ ｔｒａｎｓｍｉｓｓｉｏｎ
ＮＯＮ−ＰＤＰ−ＡＣＴＩＶＥ−ｏｎｇｏｉｎｇ ｔｒａｎｓｍｉｓｓｉｏｎ ｏｆ ｓｅｒｖｉｃｅ ｉｎｆｏｒｍａｔｉｏｎ
ＮＰＮ−ＰＤＰ−ＭＯＤＩＦＹ−ＰＥＮＤＩＮＧ−ｔｈｅ ｎｅｔｗｏｒｋ ｐａｒｔ ｈａｓ ｒｅｑｕｅｓｔｅｄ ａ ｃｈａｎｇｅ ｉｎ ｔｈｅ ｔｒａｎｓｍｉｓｓｉｏｎ ｏｆ ｓｅｒｖｉｃｅ ｉｎｆｏｒｍａｔｉｏｎ
【００４５】
以下に、本発明の好ましい実施例による解決法を、図６に示す流れ図によって説明する。例として、端末はサービスを必要とし、サービスがネットワーク部によって提供されると仮定される。端末、すなわちサービスを必要とする側は、接続セットアップ・プロセスによるメッセージをネットワーク部に送信する。メッセージはサービス情報の必要とサービス品質を指示する。
【００４６】
問題のサービスは位置情報サービスで、すなわち端末がその場から位置情報サービスをネットワークに要求する。ここでは例としてＧＰＲＳ（General Packet Radio System：汎用パケット無線システム）が使われているが、本発明はこれに限定しない。
【００４７】
ブロック６００からプロセスは開始する。ブロック６０２では、加入端末は、位置情報サービスを要求する要求メッセージ「ＳＭ ＳＥＲＶＩＣＥ ＲＥＱＵＥＳＴ」を無線ネットワーク、本例ではすなわち基地局システムＢＳＳを経由して、コア・ネットワーク、本例ではすなわちサポート・ノードＳＧＳＮに送信する。望ましくは、先行技術によるセキュリティ手順、例えば加入端末の認証、がこの後実行される。明確にするため、このようなセキュリティ手順はここには示されていない。
【００４８】
次に、メッセージに要求された位置情報サービスの少なくとも一つの機能がブロック６０４によって実行される。要求メッセージは以下の位置情報サービス機能に関する。すなわち加入者端末位置の測定、位置情報補助データの加入者端末への送信、位置情報補助データ復号のための暗号鍵の加入者端末への送信である。このような詳細はここでは無関係であり、より詳細には説明しない。
【００４９】
望ましい機能が実行されると、ステップ６０６において、コア・ネットワークＳＧＳＮが、要求メッセージに対して応答メッセージ「ＳＭ ＳＥＲＶＩＣＥ ＲＥＳＰＯＮＳＥ」を無線ネットワークを介して加入者端末に送信し、メソッドがブロック６０８で終了する。本例においては、応答メッセージは、以下の情報の中の少なくとも一つを含んでいる場合がある。すなわち、加入者端末の位置情報、位置情報補助データ、位置情報補助データを復号する暗号鍵、及びエラーコードである。要求メッセージ及び応答メッセージはＯＳＩ参照モデルの第三層に相当するプロトコル層のメッセージである。
【００５０】
本発明は添付図面に基づいた例を参照に説明されてはいるが、本発明がこれに限定されないのは明白であり、追記の請求項に開示された発明の概念の範囲内において様々に改変が可能である。
【図１】
2011234371.tif 000003
【図２】
2011234371.tif 000004
【図３】
2011234371.tif 000005
【図４】
2011234371.tif 000006
【図５】
2011234371.tif 000007
【図６】
2011234371.tif 000008
【外国語明細書】
2011234371000001.pdf